(57)【要約】      （修正有）【課題】  歩行中にめくり上がることのない、しかも着脱自在で、敷設工事、改装工事、レイアウト変更工事の容易な視覚障害者誘導プレートを安価に提供すること。【解決手段】  ゴムまたは樹脂製のプレートの表面に点字用凸部を有し、裏面に面フアスナーを設けた、床面と着脱自在な視覚障害者誘導ブロックにおいて、前記プレートの裏面の総面積の１５〜９０％に、深さ０．５〜７ｍｍの凹部を単数または複数個有し、凹部に前記面フアスナーを設け、かつ面フアスナーの先端がプレートの裏面より−６ｍｍ〜＋６ｍｍの位置にある視覚障害者誘導ブロック。【選択図】        図１
2006022552.tif 000002
【特許請求の範囲】
【請求項１】
ゴムまたは樹脂製のプレートの表面に点字用凸部を有し、裏面に面フアスナーを設けた、床面と着脱自在な視覚障害者誘導ブロックにおいて、前記プレートの裏面の総面積の１５〜９０％に、深さ０．５〜７ｍｍの凹部を単数または複数個有し、凹部に前記面フアスナーを設け、かつ面フアスナーの先端がプレートの裏面より−６ｍｍ〜＋６ｍｍの位置にある視覚障害者誘導ブロック。
【請求項２】
面フアスナーの先端が、プレートの裏面より−３ｍｍ〜＋４ｍｍの位置にある請求項１記載の視覚障害者誘導ブロック。
【請求項３】
プレートが、裏面に幅３〜２０ｍｍの額縁を有する請求項１または２記載の視覚障害者誘導ブロック。
【請求項４】
プレートが、５０〜９５度のデュロメーター硬さを有する請求項１〜３のいずれかに記載の視覚障害者誘導ブロック。
【請求項５】
プレートの素材が、エチレン−プロピレン共重合体ゴムまたはアクリルニトリル−ブタジエン共重合体ゴムを含む素材である請求項１〜４のいずれかに記載の視覚障害者誘導ブロック。
【請求項６】
面フアスナーが、きのこ、錨または矢ジリ形状である請求項１〜５のいずれかに記載の視覚障害者誘導ブロック。
【発明の詳細な説明】
【技術分野】
【０００１】
本発明は、視覚障害者を安全に誘導する視覚障害者誘導ブロック、とくに屋内用に有用な誘導ブロックに関するものである。 
【背景技術】
【０００２】
従来、歩道やプラットホーム、地下道に設置された視覚障害者を誘導する誘導ブロックとしては、コンクリートや陶器が一般的であるが、最近では樹脂製、樹脂モルタル製等も見られるようになり、それらの施工には、アスファルトやコンクリートの下地面に施工すべきタイルやブロックの形状にあわせた基礎工事や接着剤処理を行う施工方法が取られている。
また、最近、福祉施設や公共施設などの屋内用に樹脂製、ゴム製の視覚障害者誘導プレートが使用され始めており、その誘導プレートの裏面にマジックテープ（登録商標）面ファスナーを貼り付けたブロックも知られている（特許文献１）。
【特許文献１】特開平８−３０２９６８号（特許請求の範囲、［０００４］、［０００５］、［０００６］）
【発明の開示】
【発明が解決しようとする課題】
【０００３】
しかしながら、誘導プレートの裏面に面ファスナーを全面に亘り貼り付けたブロックでは、誘導プレートのゴムまたは樹脂部分が、床面から離れているために、誘導プレート上を歩行中に履物などによりめくり上がるという欠点があり、また面ファスナーを全面に亘り貼り付けるため費用がかさむという欠点がある。
本発明は、これらの従来の欠点を解消したものであり、歩行中にめくり上がることのない、しかも着脱自在で、敷設工事、改装工事、レイアウト変更工事の容易な視覚障害者誘導ブロックを安価に提供することを目的とする。
【課題を解決するための手段】
【０００４】
上記目的は、ゴムまたは樹脂製のプレートの表面に点字用凸部を有し、裏面に面フアスナーを設けた、床面と着脱自在な視覚障害者誘導ブロックにおいて、前記プレートの裏面の総面積の１５〜９０％に、深さ０．５〜７ｍｍの凹部を単数または複数個有し、凹部に前記面フアスナーを設け、かつ面フアスナーの先端がプレートの裏面より−６ｍｍ〜＋６ｍｍの位置にある視覚障害者誘導ブロックを提供することによって達成される。
【０００５】
また、上記目的は、上記面フアスナーの先端が、プレートの裏面より−３ｍｍ〜＋４ｍｍの位置にあることによって、より好適に達成される。
また、上記目的は、上記プレートが、裏面に幅３〜２０ｍｍの額縁を有することによって、さらに好適に達成される。
【０００６】
また、上記目的は、上記プレートが、５０〜９５度のデュロメーター硬さを有することによって、さらに好適に達成される。
また、上記プレートが、エチレン−プロピレン共重合体ゴムまたはアクリルニトリル−ブタジエン共重合体ゴムを含む素材であることによって、さらに好適に達成される。
【発明の効果】
【０００７】
本発明によれば、歩行中にめくり上がることのない、しかも着脱自在で、敷設工事、改装工事、レイアウト変更工事の容易な視覚障害者誘導ブロックを安価に提供することができる。また、プレートは、ゴムまたは樹脂製であるために、クッション性があり、車椅子やベビーカーが通り抜ける場合、振動を柔らげたり、誤ってプレート上で転倒しても、衝撃を柔らげる効果がある。
【発明を実施するための最良の形態】
【０００８】
本発明において、プレートの裏面の凹部に面ファスナーを設けることにより、これを床面に固定した場合、プレート面と床面に隙間（プレート面の浮き上がり）が見られないか、または極めて少ないため、歩行者が履物をプレートに引っ掛けてプレートの端がめくり上がったり、またそのため転倒したりすることもない。プレートの裏面の凹部に面フアスナーを設ける方法としては、プレートを接着剤により接着する方法、またプレートがゴムである場合は、未加硫ゴムのプレートの裏面の凹部に、接着剤を塗布したファスナーを重ね、加熱加硫して、一体成形する方法が挙げられる。
【０００９】
プレートの裏面の凹部の深さは、凹部に設ける面ファスナーの先端が、プレートの裏面からできるだけはみ出さないように、また、面ファスナーと床材であるループカーペットまたはタイルカーペットの係合力を最大にするために、０．５〜７ｍｍとすることが重要である。
また、凹部は、プレートの裏面の総面積の１５〜９０％を占めることが、本発明の目的を達成する上で、重要であり、好適には３０〜９０％である。
また、面ファスナーの先端が、プレートの裏面より−６ｍｍ〜＋６ｍｍの位置にあることも重要であり、−３ｍｍ〜＋４ｍｍの位置にあることが好適である。＋６ｍｍを越えてはみ出すと、プレートと床面との間に隙間（浮き上がり）が発生し、−６mmを下回ると（沈みすぎると）、床材のループカーペットまたはタイルカーペットとの係合力が極端に低下する。
【００１０】
本発明において、プレート裏面に凹部を設ける場合、プレートの裏面に幅３〜２０ｍｍ額縁を設けることが好適であり、最適な額縁の幅は５〜１５ｍｍである。この幅の額縁を設けることにより、プレートと床材のタイルカーペットまたはループカーペット、あるいは面ファスナーを接着させたタイル（樹脂製またはコンクリート製）との密着性が向上し、さらにまたプレート周囲の浮き上がりがないか、または極めて少なくなる。
また、面ファスナーを接着させた床材のタイル、とくに樹脂タイルに、プレートを係合固定する場合は、プレートと床材との密着性をさらに向上させるために、額縁部に両面粘着テープまたは接着剤を設け、プレートと床を接着固定することも可能である。ここで、床材に接着させた面フアスナーとしては、ループ形状であることが係合力の点から好適であるが、プレート裏面に設けられた面フアスナーと充分係合するものであれば、フック形状のものも使用できる。
【００１１】
プレートは、５０〜９５度のデュロメーター硬さ（ＪＩＳ−６２５３−５）を有していることが好適であり、さらに好適には５５〜９０度であり、最適には５５〜８０度である。硬さが５０度以下の場合は、柔軟性に富んでおり施工性は良好であるが、ゴムの摩擦係数が高くなり、プレート上を歩行する場合に、履物とプレートとの間に適度な滑り性がなくなり、突っかかるような感覚が発生しやすいし、またプレートと履物との間の摩擦係数が大きいことにより、履物底の汚れや履物の色がプレートに擦りつけられプレートが汚れやすくなる。また、逆に硬さが９５度を超える場合には、プレートの汚れ問題はないが、プレートの柔軟性がなくなり施工性が極端に悪くなる恐れがある。
【００１２】
プレートとしては、ゴムまたは樹脂製のプレートが使用されるが、ゴム製のプレートが、柔軟性に優れ、施工が容易であることから好適である。ゴム製のプレートである場合は、凹凸のある床面の場合でも施工には障害とならないし、さらに特別な施工技術を必要とすることがなく、敷設工事費も安価である。
【００１３】
ゴム製のプレートとしては、天然ゴム、合成ゴムいずれでも使用できるが、具体的には、エチレン−プロピレン共重合体ゴム（ＥＰＭ）、エチレン−プロピレン−ジエンモノマー（エチリデンノルボルネンなど）共重合体ゴム（ＥＰＤＭ）、スチレンーブタジエン共重合体ゴム（ＳＢＲ）、ブタジエンゴム（ＢＲ）、ポリイソプレンゴム（ＩＲ）、クロロプレンゴム（ＣＲ）、クロロスルホン化ポリエチレン（ＣＳＭ）、塩素化ポリエチレン（ＣＭ）、アクリルゴム（ＡＣＭ、ＡＮＭ）、多硫化ゴム（ＯＴ、ＢＯＴ）、アクリルニトリル−ブタジエン共重合体（ニトリルゴム）（ＮＢＲ）、イソプレン−イソブチレン共重体（ブチルゴム）（ＩＩＲ）、シリコーンゴム、ウレタンゴム、エピクロルヒドリンゴム、フッ素ゴムなどが挙げられる。これらのゴムのうち、ＥＰＭ、ＥＰＤＭ、ＮＢＲが好適である。また、これらのゴム成分は単独または複数を混合して使用することもできる。
また、樹脂製のプレートとしては、アクリル系樹脂、塩化ビニル系樹脂などの熱可塑性樹脂があげられる。前記したゴム成分と樹脂成分とは混合して使用することもできる。たとえば、ＮＢＲと塩化ビニル系樹脂との混合物は好適な態様である。
【００１４】
プレートの裏面の凹部に設ける面ファスナーとしては、一般に使用されている樹脂成形による、鉤状、きのこ形状、錨形状または矢ジリ形状のフックからなる面ファスナーが挙げられるが、このうちきのこ形状、錨形状または矢ジリ形状のフックからなる面ファスナーが、より強固に固定することが可能であることから好適である。具体的には、クラレ社製「マジロック」（登録商標）、クラレ社製「マルチロック」（登録商標）、アプリックス社製「APLIX＃224」〈登録商標〉が挙げられる。面フアスナーの素材としては、ポリプロピレン、ポリエステル、ポリアミドなどの樹脂が好適であるが、金属（鋼鉄、銅など）も使用できる。
また、表面にフックを有する床材の場合は、プレートの裏面の凹部に設ける面フアスナーとして、ループからなる面フアスナーも使用することができる。
【００１５】
次に、本発明を図面により説明する。
第１の実施態様（図１〜４）
図１は、第１の実施態様のブロック２｛円錐台状の凸部６と平坦部５を有するプレート１（図１の上図）、または角錐台状の凸部７と平坦部５を有するプレートの裏面に面フアスナーを有するブロック｝およびその設置例を示す斜視図である。この裏面に面フアスナーを設けたブロック２は、床４の上のタイルカーペット３に着脱可能に設置され、歩行者を誘導する識別標識として使用される。凸部の形状は円錐台状、角錐台状のほか、半円形状であってもよい。
図２の（Ｉ）は、図１の上部の図のブロック２のＡ−Ａ断面図である。プレート１は、その表面全体に亘って円錐台状の複数の凸部６が形成され、プレートの各角部（４つの角部）８は円弧状に形成されており、またプレートの周部側には外縁に向かって下降している円弧状またはテーパー状部９が形成されている。
図２の（ＩＩ）は、図１のブロック２のＢ−Ｂ断面図である。プレート１は、その表面全体に亘って角錐台状の凸部７が形成され、各角部（４つに角部）８は円弧状に形成されており、またプレートの周部側には（Ｉ）と同様に円弧状またはテーパー状部９が形成されている。
【００１６】
プレート１の裏面には、図２に示すように、面ファスナーを取り付けるための凹部１２があり、この凹部１２に面ファスナー１０が取り付けられている。この面ファスナー１０は、基材としての支持体１３の表面に多数のフック部１４が植え付けられ、その背面側は接着剤を介しプレート１に強固に固定され、プレート１と一体化されている。フック部１４としては、タイルカーペット３との整合性、固定性を維持するため、係合力の強い面ファスナーが使用される。
【００１７】
図３は、図２の（Ｉ）および（ＩＩ）の底面図であり、周縁に平行に並んだ凹部１１、１１および凹部１２、１２が設けられており、この凹部に面ファスナー１０が設けられている。
【００１８】
図４は、図１で示したブロックの使用例のＣ−Ｃ断面図であり、ブロック２が、面ファスナー１０によりタイルカーペット３に固定された状態を示している。
床面のタイルカーペット３は、床４に接着剤で固定されている。タイルカーペット３は支持体１５に植え付けられた多数のループ部１６を備えている。各ループ部１６は、例えば、ポリエステル、ポリアミド、ポリプロピレンなどの合成繊維等で構成されている。
【００１９】
床４に敷設されたタイルカーペット３の表面のループ部１６に、面ファスナー１０のフック部１４を重ね、ブロック２の上面を床４側に押し付けることでタイルカーペット３にブロック２が固定される。
【００２０】
図１〜４において、プレート１の裏面に幅３〜２０mmの額縁状の枠１７を設けた凹部１２に面ファスナー１０を接着固定して面フアスナーの全体を凹部に沈ませることで、面ファスナーの高さを吸収して、フック部１４によるプレート１の裏面の浮き上がりをなくするか、または極めて小さくすることができる。さらに、プレート１の周部側に円弧状またはテーパ状部９を設けることにより、プレート１とタイルカーペット３との密着性を増し、プレート１とタイルカーペット３との間に隙間の発生をなくすこことができる。そのために、歩行時のプレートのめくり上がりを防ぐことができ、歩行者書障害をきたすこともない。
【００２１】
また、レイアウト変更や交換等のメンテナンスを行なう場合には、面ファスナー１０によって固定されているプレート１とタイルカーペット３との間にドライバー等の先を挿入して剥がすこともでき、設置位置の変更も容易におこなうことができる。
【００２２】
次に第２の実施態様を説明する。
第２の実施態様〈図５〜８〉
図５は、第２の実施態様のブロック２｛表面に円錐台状の凸部６と平坦部５を有するプレート１（図１の上図）、または角錐台状の凸部７と平坦部５を有するプレートの裏面に面フアスナーを有するブロック｝およびその設置例を示す斜視図である。この裏面に面フアスナーを設けたブロック２は、床４の上のタイル１８（樹脂製またはコンクリート製）に接着固定された面フアスナー１９（面フアスナー１０と係合するループ状の面フアスナー）に着脱可能に設置され、歩行者を誘導する識別標識として使用される。凸部の形状は円錐台状、角錐台状のほか、半円形状であってもよい。
【００２３】
図６の（Ｉ）は、図５の上部の図のブロック２のＤ−Ｄ断面図である。プレート１は、その表面全体に亘って円錐台状の複数の凸部６が形成され、プレートの各角部（４つのコーナー）８は円弧形状に形成されており、またプレートの周部側には円弧状またはテーパー状部９が形成されている。
図６の（ＩＩ）は、図５のブロック２のＥ−Ｅ断面図である。プレート１は、上面の全体に亘って角錐台状の凸部７が形成され、各角部（４つにコーナー）８は円弧形状に形成されており、またプレートの周部側には円弧状またはテーパー状部９が形成されている。
【００２４】
プレート１の裏面には、図６に示すように、面ファスナーを取り付けるための凹部１２があり、この凹部１２に面ファスナー１０が取り付けられている。この面ファスナー１０は、基材としての支持体１３の表面に多数のフック部１４が植え付けられ、その背面側は接着剤を介しプレート１に強固に固定され、プレート１と一体化されている。フック部１４としては、面フアスナー１９との整合性、固定性を維持するため、係合力の強い面ファスナーが使用されている。
また、額縁１７には両面粘着テープ２０が設けられており、これによりプレートがより強固にタイルに固定される。
【００２５】
図７は、図６の（Ｉ）および（ＩＩ）の底面図であり、周縁に額縁１７および中央部に凹部１２が設けられており、この凹部に面ファスナー１０が設けられている。
【００２６】
図８は、図５のブロックの使用例のＦ−Ｆ断面図であり、ブロック２の裏面の面ファスナー１０が面フアスナー１９と係合しタイル１８に固定された状態を示している。
【００２７】
床４の上のタイル１８に敷設された面フアスナー１９に、ブロック２の凹部に接着固定された面ファスナー１０のフック部１４を重ね、ブロック２の上面を床４側に押し付けることでブロック２はタイル１８に固定される。
【００２８】
上記実施態様１〜２においては、プレート１としてはＥＰＤＭ系プレート（硬度６５度）、ＮＢＲ系プレート（硬度６５度）が好適に使用される。
また、本発明において、ブロック２の裏面の構造としては、図３および図７以外に、図９〜１２に示すように並行に並んだ２つまたは３つ以上の凹部１２に面ファスナー１０を設けたものであってもよい。図９〜１２に示すようなブロック２を並べて設置する場合は、ブロックを並べた方向と同じ方向に長手方向の凹部１２を設けることが好適である。
【産業上の利用可能性】
【００２９】
本発明の視覚障害者誘導ブロックは、福祉施設、公共施設（学校、市庁舎、体育舘など）、商業施設（デパート、スーパーマーケットなど）などの屋内用ブロックとして、とくに有用である。
【図面の簡単な説明】
【００３０】
【図１】本発明の第１の実施態様のブロックおよびその設置例を示す斜視図である。
【図２】（Ｉ）  図１のＡ−Ａ断面図である。          （ＩＩ）図１のＢ−Ｂ断面図である。
【図３】図１のブロックの底面図である。
【図４】図１のＣ−Ｃ断面図である。
【図５】本発明の第２の実施形態のブロックおよびその設置例を示す斜視図である。
【図６】（Ｉ）  図５のＤ−Ｄ断面図である。          （ＩＩ）図５のＥ−Ｅ断面図である。
【図７】図５のブロックの底面図である。
【図８】図５のＦ−Ｆ断面図である。
【図９】本発明の他の実施形態のブロックの底面図である。
【図１０】本発明の他の実施形態のブロックの底面図である。
【図１１】本発明の他の実施形態のブロックの底面図である。
【図１２】本発明の他の実施形態のブロックの底面図である。
【符号の説明】
【００３１】
１    プレート
２    ブロック
３    タイルカーペット
４    床
５    プレート表面の平坦部
６    プレート表面の凸部（円錐台形状）
７    プレート表面の凸部（角錐台形状）
８    プレート角部
９    プレートの円弧状またはテーパ−状部
１０  面ファスナー
１１  プレート裏面の凹部
１２  プレート裏面の凹部
１３  面ファスナー支持体
１４  フック部
１５  タイルカーペット支持体
１６  ループ部
１７  額縁
１８  タイル
１９  面ファスナー
２０  両面粘着テープ
【図１】
2006022552.tif 000003
【図２】
2006022552.tif 000004
【図３】
2006022552.tif 000005
【図４】
2006022552.tif 000006
【図５】
2006022552.tif 000007
【図６】
2006022552.tif 000008
【図７】
2006022552.tif 000009
【図８】
2006022552.tif 000010
【図９】
2006022552.tif 000011
【図１０】
2006022552.tif 000012
【図１１】
2006022552.tif 000013
【図１２】
2006022552.tif 000014